(57)【特許請求の範囲】
【請求項１】
複数の動作モードが設定されている印刷装置において、
前記各動作モードの動作に対応する単位時間の消費電力値及び前記印刷装置に対し省エネルギー基準で定める一定期間の消費すべき電力を示す標準値、及び、節電対策としての省電力モードへの遷移回数と所定時間以上の省電力モードの発生回数の履歴が格納されている格納部と、
前記動作モードの動作時間を計測する計測部と、
前記計測した各動作時間と前記格納部から取り込んだ消費電力値とから前記一定時間の総消費電力を算出する算出部と、
前記格納部から取り込んだ標準値を前記算出した総消費電力と共に表示部に表示させる表示制御部と、
前記一定期間の総消費電力が前記標準値を超過した場合に、前記履歴に基づき前記省電力モードへの遷移時間を短縮した場合の総消費電力や前記所定時間以上の省電力モード期間を電源断とした場合の総消費電力を計算する計算部と
を含み、
前記表示制御部は、前記一定期間の総消費電力が前記標準値を超過した場合に、前記標準値と前記一定期間の総消費電力と共に前記計算部で計算された前記省電力モードへの遷移時間を短縮した場合の総消費電力や前記所定時間以上の省電力モード期間を電源断とした場合の総消費電力を前記表示部に表示させることを特徴とする印刷装置。
【請求項２】
前記標準値は国際エネルギースタープログラムの規格値、実測値もしくはいずれか一方であることを特徴とする請求項１記載の印刷装置。
【発明の詳細な説明】
【技術分野】
【０００１】
本発明は、消費電力値を表示する印刷装置に関する。
【背景技術】
【０００２】
従来、印刷装置には、消費電力値を算出し、ユーザーに消費電力値を把握させることができるものがあった。例えば、下記特許文献１では、画像形成装置の消費電力値を自ら計算し表示する技術が提供されている。
一方、１９９５年の「国際エネルギースタープログラム」や１９９８年の「省エネルギー法改正」などにより、現在、ユーザーおよび企業の環境保護の意識は高まり、消費電力を抑えることで環境保護に貢献することができる電子機器製品の需要が高まっている。
国際エネルギースタープログラムは世界７カ国で実施されているオフィス機器の国際的省エネルギー制度である。国際エネルギースタープログラムでは、製品区分に応じて基準式を定め、その基準式に印刷速度を入力することによって、規格値が定められる。一方、実測値は、ＴＥＣ（標準消費電力）測定方式で、典型的な一定期間中の通常運転における標準的消費電力値（ＫＷｈ）から算出される。つまり、国際エネルギースタープログラムの規格値、並びにＴＥＣ測定方式の実測値は、省エネルギー性能を計るための、基準といえる。
【特許文献１】特開平０７−１２９０４２号公報
【発明の開示】
【発明が解決しようとする課題】
【０００３】
しかしながら、上記特許文献１の画像形成装置では、過去１週間、もしくは過去１ヵ月の消費電力値を表示するのみであり、省エネルギー性能を計るための、判定基準が表示される製品はなかった。ゆえに、表示された消費電力値が省エネルギーの観点で適正かどうかをユーザーは判断することができなかった。
【０００４】
本発明の目的は、消費電力値を表示させる印刷装置において、ユーザーに国際エネルギースタープログラムの規格値と実測値を表示することで、消費電力値が、省エネルギーの面で、適正かどうかを判断させることを可能にした印刷装置を提供することにある。
【課題を解決するための手段】
【０００５】
本発明は以上の問題を解決するために、次の構成を具備する。
【０００６】
＜構成１＞
本発明に係る印刷装置は、複数の動作モードが設定されている印刷装置において、上記各動作モードの動作に対応する単位時間の消費電力値及び上記印刷装置に対し省エネルギー基準で定める一定期間の消費すべき電力を示す標準値、及び、節電対策としての省電力モードへの遷移回数と所定時間以上の省電力モードの発生回数の履歴が格納されている格納部と、上記動作モードの動作時間を計測する計測部と、上記計測した各動作時間と上記格納部から取り込んだ消費電力値とから上記一定時間の総消費電力を算出する算出部と、上記格納部から取り込んだ標準値を上記算出した総消費電力と共に表示部に表示させる表示制御部と、上記一定期間の総消費電力が上記標準値を超過した場合に、上記履歴に基づき上記省電力モードへの遷移時間を短縮した場合の総消費電力や上記所定時間以上の省電力モード期間を電源断とした場合の総消費電力を計算する計算部とを含み、上記表示制御部は、上記一定期間の総消費電力が上記標準値を超過した場合に、上記標準値と上記一定期間の総消費電力と共に上記計算部で計算された上記省電力モードへの遷移時間を短縮した場合の総消費電力や上記所定時間以上の省電力モード期間を電源断とした場合の総消費電力を上記表示部に表示させることを特徴とする。
【発明の効果】
【０００７】
本発明の印刷装置によれば、国際エネルギースタープログラムの規格値、実測値と実際の消費電力値を表示させることで、ユーザーにエネルギーの消費電力値が適正かどうかを判断させることを可能にした。
【発明を実施するための最良の形態】
【０００８】
以下、本発明の実施形態について図面を用いて説明する。
【実施例１】
【０００９】
図１は本発明の印刷装置の形態を示す図である。
図に示すように、本発明による印刷装置１００、２００は、プリンタ１０１と、標準トレイ１０２と、セカンドトレイ１０３と、大容量トレイ１０４とで構成されており、プリンタ１０１は、表示部１０５を備えている。
【００１０】
印刷装置１００は、標準トレイ１０２の他にセカンドトレイ１０３、更に大容量トレイ１０４を用いることで、大量のドキュメントの処理や、頻繁に印刷を行うオフィス環境に対応している。セカンドトレイ１０３と大容量トレイ１０４を有することで、数百枚程の用紙を収納することが可能であり、こういった印刷装置１００では、印刷速度も高速な場合が多く、消費電力値は印刷速度が高速になればなるほど増える傾向にある。よって、エネルギーの管理は重要である。
【００１１】
印刷装置１００は、省エネルギーのために幾つかの動作モードを備えている。印刷稼動中の印刷モード、印刷動作から開放されて、次の印刷動作に備えて、内部の定着装置を発熱状態に保持するために、ヒータを駆動させている待機モード、印刷動作後に所定の時間、印刷要求がなかった場合に上記ヒータを停止させて、電力の消費を軽減させる省電力モードなどがある。
【００１２】
図２は実施例１の表示部の説明図である。
図に示すように、国際エネルギースタープログラムの規格値と実測値が表記され、その下部に過去３週間の計算して算出された週毎の総電力推定値が表示されている。
【００１３】
図２に示す国際エネルギースタープログラムの規格値は「１０，０００Ｗｈ」である。この規格値は、機器の特性によって定められた区分とその製品速度から定められる。その区分は、例えば、プリンタにおいて、サイズが「標準形式」で印刷技術が「電子写真」、カラー機能が「カラー」であれば、そのプリンタは区分２と定義される。区分２に対する国際エネルギースタープログラムの規格値は、製品速度が２０（ＩＰＭ）であれば６，０００（Ｗｈ）と定められ，製品速度が４０（ＩＰＭ）であれば、１０，０００（Ｗｈ）と定められている。つまり、図１の印刷装置１００は国際エネルギースタープログラムの規格値が「１０，０００Ｗｈ」であり、製品速度は４０（ＩＰＭ）であることを示す。
【００１４】
一方、図２に示す国際エネルギースタープログラムの実測値は「９，５００Ｗｈ」である。これはプリンタメーカが事前に本プリンタにより測定した実測値であり、その条件は、装置の１日あたりの通常使用時間、使用傾向、省電力モードへの初期設定時間を用いて算出された１週間あたりの消費電力値である。この１週間あたりの消費電力値は、午前と午後の大きな作業時間帯と、その間の昼食時を想定した省電力モードで構成される５日の稼働日と、製品が使用されない非稼働日の２日間で構成される。非稼働日は、電源が切断されないことを前提としている。
【００１５】
図２の下部に記した総電力推定値は，２００６年１２月４日から１２月１０日までの１週間の総電力推定値が「６，２００Ｗｈ」、次の週の２００６年１２月１１日から１２月１７日までの１週間の総電力推定値が「７，５００Ｗｈ」、その次の週の２００６年１２月１８日から１２月２４日までの１週間の総電力推定値が「８，３００Ｗｈ」であることを示す。
【００１６】
国際エネルギースタープログラムの規格値、実測値は、装置のエネルギー需要の目安であり、適切なエネルギーマネージメントの指針となる。よって、ユーザーにとっては、これらの数字を超えた使用状況とならないことが、エネルギーの有効利用に繋がり、ひいては、省エネルギー活動の実践となる。
【００１７】
図３は実施例１の表示部に表示される棒グラフの説明図である。
この棒グラフは図２のデータをグラフ化したものである。
図に示すように、国際エネルギースタープログラムの規格値は点線で表され、実測値は実線で表されたボーダーラインで表示される。また、過去３週間の総電力推定値は1週間単位に棒グラフで表示される。棒グラフは、印刷モード、待機モード、省電力モードの各動作モードに消費電力値を積み上げて構成されている。過去３週間の総電力推定値と国際エネルギースタープログラムの規格値、実測値が表示されることで、ユーザーは装置の電力消費の傾向を把握し、総電力推定値が、国際エネルギースタープログラムの規格値、実測値を超過していないかを一目で認識できる。
【００１８】
図４は実施例１の印刷装置の構成のブロック図である。
図に示すように、印刷装置１００は、表示部１０５と、ＣＰＵ１１１と、ＲＯＭ１１２と、ＲＡＭ１１３と、ＦＬＡＳＨメモリ１１４と、動作モード管理部１１６と、トレイ検出部１１７と、消費電力値算出部１１８と、共通バス１２０とを備える。
【００１９】
表示部１０５は、表示板１０５ａを有し、ＦＬＡＳＨメモリ１１４から所定の情報を読み出して所定の形式で表示板へ表示する部分である。所定の情報には、前述の国際エネルギースタープログラムの規格値、実測値と総電力推定値等も含まれる。
【００２０】
ＣＰＵ１１１は、マイクロコンピュータであり、ＲＯＭ１１２に格納された制御プログラムを実行することによって印刷装置１００の各機能を実現させる部分である。ＣＰＵ１１１は、機能に応じて各部を統括制御する。
【００２１】
ＲＯＭ１１２（ＲＥＡＤ  ＯＮＬＹ  ＭＥＭＯＲＹ）は、印刷装置１００を制御する所定の制御プログラムが予め格納されているメモリである。このＲＯＭ１１２は印刷装置１００の電力が遮断されても記憶内容が保持される不揮発性メモリである。
【００２２】
ＲＡＭ１１３（ＲＡＮＤＯＭ  ＡＣＣＥＳＳ  ＭＥＭＯＲＹ）は、ＣＰＵ１１１が制御プログラムを実行するときに必要になる演算領域を提供するメモリである。ＲＡＭ１１３は揮発性メモリなので、電源の遮断によって内部データは消去される。
【００２３】
ＦＬＡＳＨメモリ１１４は、本発明の国際エネルギースタープログラムの規格値、実測値と各動作モードの消費電力値が予め格納されており、その他に印刷装置１００の使用状況を示す1週間単位の総電力推定値、並びに総電力推定値の算出に用いる各動作モードとその経過時間などの記録が格納されているメモリである。
【００２４】
動作モード管理部１１６は、時計１１６ａを有し、印刷装置１００の動作に応じて各動作モードを判定し、動作モードが変化する毎に、動作モードに対応するフラグをセット又はクリアすることにより、時計１１６ａから日時を入手し、ＦＬＡＳＨメモリ１１４に日時と、その時点における動作モードとを格納する部分である。
【００２５】
トレイ検出部１１７は、印刷装置１００に大量印刷のためのセカンドトレイ並びに大容量トレイが装着されたか否かを検出する部分である。
【００２６】
消費電力値算出部１１８は、ＦＬＡＳＨメモリ１１４に格納されている日時と各動作モードとの情報から印刷装置１００の各動作モードでの経過時間を取得し、1週間単位の総電力推定値を算出する部分である。
【００２７】
図５は実施例１のＦＬＡＳＨメモリに格納される情報の説明図である。
【００２８】
図５（ａ）は実施例１のＦＬＡＳＨメモリ１１４に格納されている国際エネルギースタープログラムの規格値とメーカ測定の実測値である。図に示すように、規格値は１０，０００Ｗｈで、実測値が９，５００Ｗｈであることを示す。
【００２９】
図５（ｂ）は実施例１のＦＬＡＳＨメモリ１１４に格納されている各動作モードと装置構成との関係から抽出された消費電力値のテーブルである。装置構成は、印刷装置１００に標準トレイのみの場合の「本体のみ」と印刷装置１００にセカンドトレイ、大容量トレイが備わった状態の「本体＋トレイ４段」の２種類を示す。
【００３０】
消費電力値のテーブルは６種類の状態からなる。動作モード１は装置構成が「本体のみ」で待機モード、２は装置構成が「本体のみ」で印刷モード、３は装置構成が「本体のみ」で省電力モード、４は装置構成が「本体＋トレイ４段」で待機モード、５は装置構成が「本体＋トレイ４段」で印刷モード、６は装置構成が「本体＋トレイ４段」で省電力モードである。
【００３１】
図で示すように、消費電力値は「本体のみ」と比べると「本体＋トレイ４段」の方がやや大きい。印刷モードの２と５で比較すると「本体のみ」の５００Ｗに対して、「本体＋トレイ４段」は５２０Ｗである。
【００３２】
図５（ｃ）は実施例１のＦＬＡＳＨメモリ１１４に格納されている時間管理（モード履歴）表である。「日付」「時間」「動作モード」が記録されており、この情報から上述の印刷装置１００の各動作モードでの経過時間が取得され、総電力推定値が計算される。
【００３３】
図５（ｄ）は実施例１のＦＬＡＳＨメモリ１１４に格納されている総電力推定値である。１週間単位の総電力推定値が過去３週間分記録され、総電力推定値の内訳として各動作モードでの消費電力値も記録されている。
【００３４】
図６は実施例１の総電力推定値の算出の動作フローチャートである。
図に示すフローチャートに従ってステップＳ１０１からステップＳ１２１までをステップ順に処理の流れについて説明する。下記ステップはポーリング処理として電源投入時から所定間隔（例えば１秒毎）で繰り返し実施され、１週間単位の総電力推定値を算出する。
【００３５】
（ステップＳ１０１）
動作モード管理部１１６は、印刷装置１００が待機モードかどうかを判定する。待機モードであればステップＳ１１０へ進み、待機モードでなければステップＳ１０２に進む。
【００３６】
（ステップＳ１０２）
動作モード管理部１１６は印刷装置１００が待機モードではないので、待機時フラグをクリアする。既に待機時フラグがクリアされていた場合にはそのままとする。
【００３７】
（ステップＳ１０３）
動作モード管理部１１６は、印刷装置１００が印刷モードかどうかを判定する。印刷モードであればステップＳ１１３へ進み、印刷モードでなければステップＳ１０４に進む。
【００３８】
（ステップＳ１０４）
動作モード管理部１１６は印刷装置１００が印刷モードではないので、印刷時フラグをクリアする。既に印刷時フラグがクリアされていた場合にはそのままとする。
【００３９】
（ステップＳ１０５）
動作モード管理部１１６は、印刷装置１００が省電力モードかどうかを判定する。省電力モードであればステップＳ１１６へ進み、省電力モードでなければステップＳ１０６に進む。
【００４０】
（ステップＳ１０６）
動作モード管理部１１６は印刷装置１００が省電力モードではないので、省電力時フラグをクリアする。既に省電力時フラグがクリアされていた場合にはそのままとする。
【００４１】
（ステップＳ１０７）
動作モード管理部１１６は、印刷装置１００が総電力推定値を算出すべき1週間が経過したかどうかを判定する。1週間が経過したのであれば、ステップＳ１０８へ進み、１週間が経過していなければ終了する。
【００４２】
（ステップＳ１０８）
動作モード管理部１１６は、総電力推定値を算出すべき1週間が経過したので、ＦＬＡＳＨメモリ１１４に格納された、過去1週間の時間管理表を用いて各動作モードの累積時間を算出する。そして、消費電力値算出部１１８が各動作モードの消費電力値と掛け合わせて、総電力推定値を算出する。
【００４３】
（ステップＳ１０９）
消費電力値算出部１１８は算出された総電力推定値をＦＬＡＳＨメモリ１１４に格納してフローを終了する。
【００４４】
（ステップＳ１１０）
動作モード管理部１１６は、待機時フラグがセットされているかどうかを判定する。セットされていれば、ステップＳ１０７へ進み、セットされていなければ、動作モードの状態変化があったと判断してステップＳ１１１に進む。
【００４５】
（ステップＳ１１１）
動作モード管理部１１６は待機時フラグをセットする。
【００４６】
（ステップＳ１１２）
動作モード管理部１１６は、動作モードの状態変化があったと判断して、時計１１６ａから現在の「日付」「時間」を入手する。動作モード管理部１１６は動作モードが「待機モード」であることと、入手した現在の「日付」「時間」の情報をＦＬＡＳＨメモリ１１４の時間管理表に格納してステップＳ１０７へ進む。
（ステップＳ１１３）
動作モード管理部１１６は、印刷時フラグがセットされているかどうかを判定する。セットされていれば、ステップＳ１０７へ進み、セットされていなければ、動作モードの状態変化があったと判断してステップＳ１１４に進む。
【００４７】
（ステップＳ１１４）
動作モード管理部１１６は印刷時フラグをセットする。
【００４８】
（ステップＳ１１５）
動作モード管理部１１６は、動作モードの状態変化があったと判断して、時計１１６ａから現在の「日付」「時間」を入手する。動作モード管理部１１６は動作モードが「印刷モード」であることと、入手した現在の「日付」「時間」の情報をＦＬＡＳＨメモリ１１４の時間管理表に格納する。
（ステップＳ１１６）
動作モード管理部１１６は、省電力時フラグがセットされているかどうかを判定する。セットされていれば、ステップＳ１０７へ進み、セットされていなければ、動作モードの状態変化があったと判断してステップＳ１１７に進む。
【００４９】
（ステップＳ１１７）
動作モード管理部１１６は省電力時フラグをセットする。
【００５０】
（ステップＳ１１８）
動作モード管理部１１６は、動作モードの状態変化があったと判断して、時計１１６ａから現在の「日付」「時間」を入手する。動作モード管理部１１６は動作モードが「省電力モード」であることと、入手した現在の「日付」「時間」の情報をＦＬＡＳＨメモリ１１４の時間管理表に格納する。
【００５１】
以上のように、印刷装置１００は、常に動作モードの変化を監視することで、総電力推定値の算出が可能になる。
【００５２】
図７は実施例１の総電力推定値の表示の動作フローチャートである。
図に示すフローチャートに従ってステップＳ１２０からステップＳ１２３までをステップ順に処理の流れについて説明する。
【００５３】
（ステップＳ１２０）
ユーザーが印刷装置１００の図示しない操作部の「電力表示モード指定」した場合にはステップＳ１２１へ進み、選択しない場合にはフローを終了する。
【００５４】
（ステップＳ１２１）
表示部１０５はＦＬＡＳＨメモリ１１４から国際エネルギースタープログラムの規格値と実測値を読み込む。
【００５５】
（ステップＳ１２２）
表示部１０５はＦＬＡＳＨメモリ１１４から過去３週間の総電力推定値を読み込む。
【００５６】
（ステップＳ１２２）
表示部１０５は国際エネルギースタープログラムの規格値と実測値と過去３週間の総電力推定値を表示板１０５ａに表示する。表示の初期設定は図２の表形式でも図３の棒グラフ形式でも構わないが、いずれかの表示を選択可能としてもよい。
【００５７】
以上にように実施例１では、消費電力算出機能を有する印刷装置において、国際エネルギースタープログラムの規格値と実測値を表示させるとともに、実際の運用での消費電力を表示させることで、ユーザーに、装置の電力消費の基準が明確になり、エネルギーの消費量が適正かを判断させることが可能となる。
【実施例２】
【００５８】
本実施例では、国際エネルギースタープログラムの実測値を超えた装置の使用状況が発生したときに、省電力モードの遷移時間を短縮した場合、又、夜間の未使用時間帯に電源を切断することによる節電効果を表示させることにより、ユーザーに対して、省エネルギー活動の実践と、環境保護への貢献とを要求出来る印刷装置を実現する。以下に、省電力モードの遷移時間を短縮した場合、又は、夜間の未使用時間帯に電源を切断することによる節電効果について説明する。
【００５９】
図８は実施例２で表示部に表示される棒グラフの説明図である。
図は過去１週間の総電力推定値が、国際エネルギースタープログラムの規格値もしくは実測値を超えた場合にどういった節電対策で、どれだけ消費電力値が軽減されるかを示した棒グラフである。
【００６０】
図には、待機モードから省電力モードへの遷移時間を３０分から１５分に変えた場合、又は、夜間に電源を切断した場合のいずれにおいても無視できないほどの節電効果が示されている。上記、節電効果を表示させることを可能にする本実施例による印刷装置は以下のように構成される。
【００６１】
図９は実施例２の印刷装置の構成のブロック図である。
図に示すように、印刷装置２００には、表示部１０５と、ＣＰＵ１１１と、ＲＯＭ１１２と、ＲＡＭ１１３と、ＦＬＡＳＨメモリ１１４、動作モード管理部１１６と、トレイ検出部１１７と、消費電力値算出部１１８と、節電効果計算部２１１と、共通バス１２０とを備える。
【００６２】
以下に実施例１との相違点は、構成に節電効果計算部２１１が追加されていることと、ＦＬＡＳＨメモリ１１４に格納されている情報が異なるのみである。以下に、相違する点のみについて詳細に説明する。実施例１と同一の部分については説明を省略する。
【００６３】
節電効果計算部２１１は過去１週間の総電力推定値について、待機モードから省電力モードへの遷移時間を短縮した場合と、８時間以上の省電力モードの間を電源切断した場合に節電される消費電力値を算出する部分である。
【００６４】
図１０は実施例２のＦＬＡＳＨメモリに格納される情報の説明図である。
図に示すように、１週間単位の総電力推定値が過去３週間分記録され、総電力推定値の内訳として各動作モードの消費電力値が記録されている。他に省電力モードへの遷移回数と、夜間の未使用時間帯を想定した８時間以上の省電力モードの回数が記録されている。この情報が、実施例１で説明した図５の情報に追加してＦＬＡＳＨメモリ１１４に格納される。
【００６５】
以上説明した実施例２の印刷装置２００は以下のように動作する。
図１１は実施例２の節電効果の算出の動作フローチャートである。
図に示すフローチャートに従ってステップＳ２０１からステップＳ２１９までをステップ順に処理の流れについて説明する。下記ステップはポーリング処理として繰り返し実施され、１週間単位の待機モードから省電力モードへの遷移回数と、８時間以上の省電力モードの発生回数とが算出される。
【００６６】
（ステップＳ２０１）
動作モード管理部１１６は印刷装置２００が待機モードかどうかを判定する。待機モードであればステップＳ２１１へ進み、待機モードでなければステップＳ２０２に進む。
【００６７】
（ステップＳ２０２）
動作モード管理部１１６は印刷装置２００が待機モードではないので、待機時フラグをクリアする。既に待機時フラグがクリアされていた場合にはそのままとする。
【００６８】
（ステップＳ２０３）
動作モード管理部１１６は印刷装置２００が印刷モードかどうかを判定する。印刷モードであればステップＳ２１４へ進み、印刷モードでなければステップＳ２０４に進む。
【００６９】
（ステップＳ２０４）
動作モード管理部１１６は印刷装置２００が印刷モードではないので、印刷時フラグをクリアする。既に印刷時フラグがクリアされていた場合にはそのままとする。
【００７０】
（ステップＳ２０５）
動作モード管理部１１６は印刷装置２００が省電力モードかどうかを判定する。省電力モードであればステップＳ２１７へ進み、省電力モードでなければステップＳ２０６に進む。
【００７１】
（ステップＳ２０６）
動作モード管理部１１６は印刷装置２００が省電力モードではないので、省電力時フラグをクリアする。既に省電力時フラグがクリアされていた場合にはそのままとする。
【００７２】
（ステップＳ２０７）
動作モード管理部１１６は印刷装置２００が1週間経過したかどうかを判定する。1週間が経過したのであれば、ステップＳ２０８へ進み、１週間が経過していなければ終了する。
【００７３】
（ステップＳ２０８）
動作モード管理部１１６は1週間が経過したので、ＦＬＡＳＨメモリ１１４に格納された、過去1週間の時間管理表を用いて各動作モードの累積時間を算出する。そして消費電力値算出部１１８は各動作モードの消費電力値を掛け合わせて、総電力推定値を算出する。
【００７４】
（ステップＳ２０９）
消費電力値算出部１１８は算出された総電力推定値をＦＬＡＳＨメモリ１１４に格納する。
【００７５】
（ステップＳ２１０）
動作モード管理部１１６は過去１週間の省電力モードへの遷移回数と８時間以上の省電力モードの回数をＦＬＡＳＨメモリ１１４に格納する。
【００７６】
（ステップＳ２１１）
動作モード管理部１１６は待機時フラグがセットされているかを判定する。セットされていれば、ステップＳ２０７へ進み、セットされていなければ、動作モードの状態変化があったと判断してステップＳ２１２に進む。
【００７７】
（ステップＳ２１２）
動作モード管理部１１６は待機時フラグをセットする。
【００７８】
（ステップＳ２１３）
動作モード管理部１１６は動作モードの状態変化があったと判断して、時計１１６ａから現在の「日付」「時間」を入手する。動作モード管理部１１６は動作モードが「待機モード」であることと、入手した現在の「日付」「時間」の情報をＦＬＡＳＨメモリ１１４の時間管理表に格納する。
（ステップＳ２１４）
動作モード管理部１１６は印刷時フラグがセットされているかを判定する。セットされていれば、ステップＳ２０７へ進み、セットされていなければ、動作モードの状態変化があったと判断してステップＳ２１５に進む。
【００７９】
（ステップＳ２１５）
動作モード管理部１１６は印刷時フラグをセットする。
【００８０】
（ステップＳ２１６）
動作モード管理部１１６は動作モードの状態変化があったと判断して、時計１１６ａから現在の「日付」「時間」を入手する。動作モード管理部１１６は動作モードが「印刷モード」であることと、入手した現在の「日付」「時間」の情報をＦＬＡＳＨメモリ１１４の時間管理表に格納する。
（ステップＳ２１７）
動作モード管理部１１６は省電力時フラグがセットされているかを判定する。セットされていれば、ステップＳ２０７へ進み、セットされていなければ、動作モードの状態変化があったと判断してステップＳ２１８に進む。
【００８１】
（ステップＳ２１８）
動作モード管理部１１６は省電力時フラグをセットする。
【００８２】
（ステップＳ２１９）
動作モード管理部１１６は動作モードの状態変化があったと判断して、時計１１６ａから現在の「日付」「時間」を入手する。動作モード管理部１１６は動作モードが「省電力モード」であることと、入手した現在の「日付」「時間」の情報をＦＬＡＳＨメモリ１１４の時間管理表に格納する。
【００８３】
図１２は実施例２の節電効果の表示の動作フローチャートである。
図に示すフローチャートに従ってステップＳ２２０からステップＳ２２７までをステップ順に処理の流れについて説明する。
【００８４】
（ステップＳ２２０）
ユーザーが印刷装置２００の図示しない操作部の図示しない操作部の「電力表示モード指定」した場合にはステップＳ２２１へ進み、選択しない場合にはフローを終了する。
【００８５】
（ステップＳ２２１）
表示部１０５はＦＬＡＳＨメモリ１１４から国際エネルギースタープログラムの規格値と実測値を読み込む。
【００８６】
（ステップＳ２２２）
表示部１０５はＦＬＡＳＨメモリ１１４から過去３週間の総電力推定値を読み込む。
【００８７】
（ステップＳ２２３）
表示部１０５は過去３週間の中で最近１週間の総電力推定値を国際エネルギースタープログラムの実測値と比較する。その１週間の総電力推定値が国際エネルギースタープログラムの実測値より大きい場合はステップＳ２２４に進む。一方、小さい場合には、ステップＳ２２７に進む。
【００８８】
（ステップＳ２２４）
節電効果計算部２１１はＦＬＡＳＨメモリ１１４から過去１週間の省電力モードへの遷移回数をＦＬＡＳＨメモリ１１４から読み込み、省電力モードへの遷移時間を短くした場合の総電力推定値を計算する。例えば、初期設定が３０分経過で待機モードから省電力モードに遷移する状態であれば、それを半分の１５分で遷移する場合で計算する。過去１週間で５２回、省電力モードに遷移したとすると、５２×１５＝７８０（分）の待機モードを省電力モードとして計算することができる。よって、消費電力値の大きい待機モードが７８０分少なくなり、消費電力値の小さい省電力モードが７８０分増えたことになる。
【００８９】
なお、待機モードから省電力モードへの遷移時間は、初期設定の時間に対して、自由に短縮できるようにして、総電力推定値を計算できるようにしても構わない。
【００９０】
（ステップＳ２２５）
更に、節電効果計算部２１１はＦＬＡＳＨメモリ１１４から過去１週間の８時間以上の省電力モードの回数をＦＬＡＳＨメモリ１１４から読み込む。８時間以上の省電力モードの回数が０であればステップＳ２２７に進み、０でなければ、ステップＳ２２６に進む。
【００９１】
（ステップＳ２２６）
節電効果計算部２１１は８時間以上の省電力モードの回数が０でなければ、８時間以上の省電力モードの期間を電源切断した場合と仮定して、総電力推定値を計算する。例えば、８時間の省電力モードが１週間に７回あったとする。すると、８×７＝５６（時間）、電源を切断した場合の総電力推定値を計算することになる。電源切断の場合、殆ど電力の消費はないので、実質５６時間の省電力モードの消費電力値を削減したことになる。
【００９２】
（ステップＳ２２７）
表示部１０５は過去１週間の総電力推定値が国際エネルギースタープログラムの実測値を超えた場合には、表示板１０５ａに過去１週間の総電力推定値、省電力モードへの遷移時間を短縮した場合の総電力推定値、更に８時間以上の省電力モードを電源切断した場合に置き換えた場合の総電力推定値をそれぞれ棒グラフで表示させる。また、国際エネルギースタープログラムの実測値を超えていない場合には、表示部１０５は実施例１で示した国際エネルギースタープログラムの規格値、実測値と過去３週間の総電力推定値を図２の表形式、もしくは図３の棒グラフで表示部に表示させる。
【００９３】
なお、実施例１、２では動作モードを「待機」「印刷」「省電力」とし、構成要素は「本体のみ」「本体＋トレイ４段」の２種類で消費電力値をテーブル化して計算に用い、総電力推定値を算出してきたが、異なるＡＣ入力電源に応じた消費電力値や、様々なオプションに応じてテーブルを用意して消費電力値を算出することで、より精度の高い総電力推定値の算出が可能になる。
【００９４】
以上にように実施例２では、国際エネルギースタープログラムの実測値を超えた装置の使用状況の時に、省電力モードの遷移時間を短縮した場合、又、夜間の未使用時間帯に電源を切断することによる節電効果を表示させることにより、ユーザーは、省エネルギー活動の実践と、環境保護に貢献できるという効果を得る。
【産業上の利用可能性】
【００９５】
実施例１、２では印刷装置を適用した場合について説明したが、複写機、ＦＡＸ等印刷装置といった画像形成装置にも適用できる。
【００９６】
また、実施例１、２では総電力推定値を算出して表示させることで説明したが、総電力推定値からＣＯ２の排出量や電気料金に換算して表示させることも可能である。
【００９７】
なお、実施例１、２では国際エネルギースタープログラムの規格値、実測値を表示させることで説明したが、国際エネルギースタープログラムで定めた１週間の総印刷ジョブ数及び総印刷数と、印刷装置が記録している１週間のジョブ数及び総印刷枚数を表示することも可能である。
【００９８】
更に、実施例１、２では国際エネルギースタープログラムの規格値、実測値を表示させることで説明したが、その他に国際エネルギースタープログラムの規格の説明等を表示部に表示しても構わない。
【００９９】
実施例１、２の国際エネルギースタープログラムの規格値、実測値並びに総電力推定値を印刷装置の表示部に表示させることで説明したが、これらを媒体に印刷出力することも可能である。
【０１００】
また、実施例１、２の印刷装置はパソコンにＬＡＮで接続されていれば、パソコンのＷＥＢ閲覧ソフトに、その印刷装置のＩＰアドレスを入力することでＷＥＢ画面に上述の表示内容を表示させることも可能である。
【図面の簡単な説明】
【０１０１】
【図１】本発明の印刷装置の形態を示す図である。
【図２】実施例１の表示部の説明図である。
【図３】実施例１の表示部に表示される棒グラフの説明図である。
【図４】実施例１の印刷装置の構成のブロック図である。
【図５】実施例１のＦＬＡＳＨメモリに格納されている情報の説明図である。
【図６】実施例１の総電力推定値の算出の動作フローチャートである。
【図７】実施例１の総電力推定値の表示の動作フローチャートである。
【図８】実施例２で表示部に表示される棒グラフの説明図である。
【図９】実施例２の印刷装置の構成のブロック図である。
【図１０】実施例２のＦＬＡＳＨメモリに格納されている情報の説明図である。
【図１１】実施例２の節電効果の算出の動作フローチャートである。
【図１２】実施例２の節電効果の表示の動作フローチャートである。
【符号の説明】
【０１０２】
１００、２００  印刷装置
１０１  プリンタ
１０２  標準トレイ
１０３  セカンドトレイ
１０４  大容量トレイ
１０５  表示部
１０５ａ  表示板
１１１  ＣＰＵ
１１２  ＲＯＭ
１１３  ＲＡＭ
１１４  ＦＬＡＳＨメモリ
１１６  動作モード管理部
１１６ａ  時計
１１７  トレイ検出部
１１８  消費電力算出部
１２０  共通バス
２１１  節電効果計算部
【図１】
0004473905.tif 000002
【図２】
0004473905.tif 000003
【図３】
0004473905.tif 000004
【図４】
0004473905.tif 000005
【図５】
0004473905.tif 000006
【図６】
0004473905.tif 000007
【図７】
0004473905.tif 000008
【図８】
0004473905.tif 000009
【図９】
0004473905.tif 000010
【図１０】
0004473905.tif 000011
【図１１】
0004473905.tif 000012
【図１２】
0004473905.tif 000013